(57)【特許請求の範囲】
【請求項１】
複数の孔を有する面体と、
突起先端部とボルトを有する複数の突起体と、
前記突起体の前記面体への固定に供する固定ナットと
を備え、
前記各ボルトを前記面体の表面の孔から貫通させ前記面体の裏面に突出したボルトに固定ナットをねじ込むことにより、前記突起体を前記面体に固定させることを特徴とする土嚢袋積層用固定具。
【請求項２】
前記固定ナットは、内部に雌ねじを有する第２の突起体で構成されることを特徴とする請求項１に記載の土嚢袋積層用固定具。
【請求項３】
前記面体はドーナッツ状の枠で構成されることを特徴とする請求項１または２に記載の土嚢袋積層用固定具。
【請求項４】
前記面体の一部に複数の前記面体を連結するための連結孔を有することを特徴とする請求項１乃至３のいずれかに記載の土嚢袋積層用固定具。
【請求項５】
前記連結孔を接続する連結リブを有し、
前記連結リブは、両先端に孔を有し、この孔を前記面体に設けられた連結孔に結合することによって複数の面体を連結することを特徴とする請求項４に記載の土嚢袋積層用固定具。
【請求項６】
複数の孔を有する面体と、突起先端部とボルトを有し前記ボルトが前記孔を貫通するように前記面体に配置される複数の突起体と、前記孔を貫通して突出する前記突起体のボルトに対して、内部の雌ねじがねじ込まれて対応する前記突起体と共に前記面体に保持される複数の第２の突起体と、前記面体の一部に複数の土嚢袋積層用固定具を連結するための連結孔とを有する各土嚢袋積層用固定具を、前記連結孔に接続されるリブで連結し、
前記リブで連結された土嚢袋積層用固定具を隣接して置かれた土嚢袋間に配置することを特徴とする土嚢袋積層工法。
【発明の詳細な説明】
【技術分野】
【０００１】
本発明は、地盤改良、地盤補強、治水工事、擁壁工事、護岸工事、埋め立て工事他の土木・建築などの建設工事おいて、土嚢袋（以下、トンパックや網目状袋などの袋形状の入れ物を含むものとする）に資材を投入しこれを積層する際に利用される土嚢袋積層用固定に関する。
【背景技術】
【０００２】
従来、土嚢袋は、地盤改良、地盤補強、治水工事、擁壁工事などの土木建設工事において、中材を投入し多段に積層された状態で利用される場合が多い。積層時の安定を図るため、従来技術例として、例えば、実用新案登録第３０８３８６８号（特許文献１）があり、図１２は特許文献１に開示された従来例の土嚢袋の平面図である。従来の土嚢袋６０は、図１２に示すように、袋体１０２の一方側が開口した状態で袋状に縫製し、この袋体１０２の開口部分１０５の周囲に沿って外側に折り込んで袋部１０９を設け、この袋部１０９に紐１０８を通すことで、土嚢袋６０が形成されていた。このように構成された土嚢袋６０では、ゴム製の滑止部材１０３が土嚢袋表面に設けてあり、袋同士が安易にずれないようにし積み上げ時の安定を図っていた。
【特許文献１】実用新案登録第３０８３８６８号
【発明の開示】
【発明が解決しようとする課題】
【０００３】
しかしながら、前記従来例の土嚢袋は、土嚢袋表面に設けてある摩擦抵抗の大きな素材でできた滑止部材１０３だけで安定を図っており、強度、耐久性は設置された滑止部材付土嚢袋の品質に左右され、長期的で強力な土嚢袋の一体化が特に要求されるような地盤補強や擁壁工事などでは、耐久性、摩擦強度共に品質確保が難しかった。また、専用の滑止付土嚢袋を利用するしか方法がなく、汎用性に欠けていた。
【課題を解決するための手段】
【０００４】
上述の課題を解決するため積層された土嚢袋を一体化させるため、請求項１の発明は、複数の孔を有する面体と、突起先端部とボルトを有する複数の突起体と、前記突起体の前記面体への固定に供する固定ナットとを備え、前記各ボルトを前記面体の表面の孔から貫通させ前記面体の裏面に突出したボルトに固定ナットをねじ込むことにより、前記突起体を前記面体に固定させることを特徴とする。
【０００５】
請求項２の発明は、前記固定ナットが、内部に雌ねじを有する第２の突起体で構成されることを特徴とする
【０００６】
請求項３の発明は、前記面体がドーナッツ状の枠で構成されることを特徴とする。
【０００７】
請求項４の発明は、前記面体の一部に複数の前記面体を連結するための連結孔を有することを特徴とする。
【０００８】
請求項５の発明は、前記連結孔をそれぞれ接続する連結リブを有し、前記連結リブは、両先端に孔を有し、この孔を前記面体に設けられた連結孔にネジで取りつけることによって複数の面体を接続することを特徴とする。
【０００９】
請求項６の発明は、複数の孔を有する面体と、突起先端部とボルトを有し前記ボルトが前記孔を貫通するように前記面体に配置される複数の突起体と、前記孔を貫通して突出する前記突起体のボルトに対して、内部の雌ねじがねじ込まれて対応する前記突起体と共に前記面体に保持される複数の第２の突起体と、前記面体の一部に複数の土嚢袋積層用固定具を連結するための連結孔とを有する各土嚢袋積層用固定具を、前記連結孔に接続されるリブで連結し、前記リブで連結された土嚢袋積層用固定具を隣接して置かれた土嚢袋間に配置することを特徴とする。
【発明の効果】
【００１０】
請求項1の発明によれば、面材に突起体をもつ土嚢袋積層用固定具を土嚢袋に取付け、その突起体が隣接する下部の土嚢袋の中詰材に物理的に食い込むことにより、土嚢袋間の摩擦力が増幅し、積層された土嚢袋が振動や荷重により倒壊するのを予防する効果がある。また、面材から飛び出た取付ボルトを土嚢袋に貫通させ固定ナットを前記ボルトに締め付けることによって、土嚢袋積層用固定具を土嚢袋に固定することにより、袋積層用袋固定材が土嚢袋からずれるのを防ぐ他、足場の確保が難しい高所作業や被災地での復旧作業において、土嚢を吊り下ろし下の土嚢袋に載せるだけで簡易に土嚢袋の一体化が可能となる。
【００１１】
請求項２の発明によれば、面材の表裏両面に突起体もつ土嚢袋積層用固定具を土嚢袋間に置き、その突起体が隣接する下部の土嚢袋の中詰材に物理的に食い込むことにより、土嚢袋間の摩擦力が増幅し、積層された土嚢袋が振動や荷重による倒壊を予防する効果がある。
【００１２】
請求項３の発明によれば、面体はドーナッツ状の枠で構成されその面全体に渡って突起体を設けることができ、枠の表裏両面に突起体もつ土嚢袋積層用固定具を土嚢袋間に置き、この突起体が隣接する下部の土嚢袋の中詰材に物理的に食い込むことにより土嚢袋間の摩擦力が増幅し、積層された土嚢袋が振動や荷重による倒壊を予防する効果がある。
【００１３】
請求項４の発明によれば、土嚢袋積層用固定具の面体の一部に複数の土嚢袋積層用固定具を連結するための連結孔を有するので、この連結孔を連結することによってさらに土嚢袋間の摩擦力を強固にすることができ、積層された土嚢袋が振動や荷重による倒壊を予防する効果がある。また現場形状に合わせ、より柔軟な形状に対応して設置できる）。
【００１４】
請求項５の発明によれば、土嚢袋積層用固定具の面体の一部に複数の土嚢袋積層用固定具の連結孔間を連結リブで連結するので、さらに土嚢袋間の摩擦力を強固にすることができ、積層された土嚢袋が振動や荷重により倒壊することをより確実に予防する効果がある。
【００１５】
請求項６の発明によれば、複数の孔を有する面体と、突起先端部とボルトを有する複数の突起体と、突起体のボルトに内部の雌ねじを螺着した複数の第２の突起体と、面体の一部に複数の土嚢袋積層用固定具を連結するための連結孔を有する各土嚢袋積層用固定具を土嚢のリブで連結し、リブで連結された土嚢袋積層用固定具を隣接して置かれた土嚢袋間に配置するので、土地の形状に合わせて隣接して置かれた複数の土嚢袋を強固に連結することができる。
【発明を実施するための最良の形態】
【００１６】
第1実施形態
図１は、本発明の第1実施形態の土嚢袋積層用固定具を示す図である。土嚢袋積層用固定具１０は、図１（ａ）、（ｂ）に示すように、面材１１に取付けられた突起体１２と取付ボルト１３および固定ナット１４から構成される。ここで、面体１０の形状は、図１、図２においては矩形状に形成されているが、これに限定する必要はなく、円形や楕円形等の形状でもよい。図1（a）は、突起体１２を面材１１に開けられた孔１５に挿入し、面材１１の上に土嚢袋６０の下面１６を載せて、下面１６から飛び出した取付ボルト１３に固定ナット１４を取りつけ、突起体１２と面材１１を土嚢袋６０の下面１６に固定した土嚢袋積層用固定具１０を示す図である。図１（ｂ）は、袋積層用固定材１０を土嚢袋６０に固定する様子を示す図である。図１（ｂ）において、土嚢袋６０の下面１６は面材１１と固定ナット１４で挟まれるので、土嚢袋積層用固定具１０は土嚢袋６０に固定される。
【００１７】
図２（ａ）は、土嚢袋積層用固定具１０が取りつけられた土嚢袋６０を下面方向から見た図である。土嚢袋積層用固定具１０は、土嚢袋６０の下面の４隅に固定され、その後に土嚢袋６０の中に中詰材６１が詰められる。図２（ｂ）は、土嚢袋積層用固定具１０が取りつけられた土嚢袋６０を側面方向から見た断面図である。図２（ｂ）において、土嚢袋６０は中詰材６１が中に詰められているので、直方体の形状を保っており、土嚢袋積層用固定具１０は土嚢袋６０の下面１７に固定されている。
【００１８】
図３は、図２（ｂ）に示す土嚢袋６０を多層に積み重ねた様子を示す図である。図３において、図２（ｂ）に示すような突起体１２が取りつけられた土嚢袋６０を下の土嚢袋６０の上に置くだけで突起体１２が下部で隣接する土嚢袋６０の中詰材６１に食い込み、土嚢袋６０同士を連結させ一体的に作用させる働きをする。特に土嚢袋を千鳥に積層させた場合、一体の土嚢袋の下に四つの土嚢袋がくるため多層に積まれた土嚢袋６０の一体性が増す。突起体１２の大きさや長さ形状などは、土嚢袋６０の大きさ形状等または使用用途や施工状況により決められる。突起体１２は面材１１と個別に製作して面材１１に取りつけるのみでなく、突起体１２と面材１１を一体成型してもよい。土嚢袋積層用固定具１０の材質は、一般的にはポリプロピレンなどの樹脂系で形成されるが、必要強度によっては、腐食しにくいステンレス鋼や防腐処理をした金属類、またはこれらの混合によって形成しても良い。（上とダブリ）また土嚢袋積層用固定具１０の土嚢袋面への固定方法は図に示した取付ボルト１３及び固定ナット１４に限定するものでなく、接着、縫い付けなどで堅固に取付けられてもよい。第１の実施形態の土嚢袋積層用固定具１０を取りつけた土嚢袋６０は、土嚢袋積層用固定具１０を取りつけた土嚢袋６０を下部の土嚢袋６０に単に置くだけで隣接する土嚢袋６０を積層できるので、高所作業や被災地、水中など人が容易に施工箇所に近づけない様な場所でも施工が可能である。
【００１９】
第２実施形態
図４は、第２実施形態の土嚢袋積層用固定具の構成を示す図である。図４（ａ）は、土嚢袋積層用固定具２０を斜め上から見た図である。ここで、面体２０の形状は、図４、図８，図９、図１０，図１１においては矩形状に形成されているが、これに限定する必要はなく、図４（ｂ）のように円形等の形状でもよい。図４（ａ）、（ｂ）において、突起体１２は土嚢袋積層用固定具２０の面材２１の両面に取りつけられる。図４（ｃ）は、土嚢袋積層用固定具２０を側面から見た図であり、面材２１の両面に突起体１２が突出しているところを強調したものである。図４（ｄ）は、土嚢袋積層用固定具２０の突起体１２の部分断面図である。図４（ｄ）において、例えば、一方の突起体１２の取付ボルト１３を面材２１の下面から孔１５に挿入して、雌ねじ１９を内部に有する他方の突起体（第２の突起体）１８で取付ボルト１３を上面から締め付けることによって、面材２１の両サイドに突起を設けることができる。
【００２０】
図５は、多層に積み重ねられた土嚢袋６０の間に図４に示す土嚢袋積層用固定具２０をおいた様子を示す図である。図５において、突起体１２、１８は隣接する土嚢袋の中詰材６１に食い込み、土嚢袋６０同士を連結させ一体的に作用させる働きをする。第１実施形態の土嚢袋積層用固定具１０と異なるところは、土嚢袋積層用固定具１０においては、突起体１２は面材１１に取りつけられた後、土嚢袋６０の下部に固定されるのに比べ、土嚢袋積層用固定具２０の場合には面材２１を土嚢袋６０に止めることなく、土嚢袋６０の上に置くだけでよいので、作業性が非常に良くなる。また、土嚢袋積層用固定具３０は専用の袋でなくても、この土嚢袋積層用固定具２０を利用することにより容易に隣接する複数の土嚢袋６０を接続可能である。突起体１２の大きさや長さ形状などは、土嚢袋６０の大きさ形状等または使用用途や施工状況により変更可能である点は第１実施形態の場合と同じである。
【００２１】
第３実施形態
図６は、第３実施形態の土嚢袋積層用固定具３０の構成を示す図である。図６（ａ）は、土嚢袋積層用固定具３０を斜め上から見た図である。図６（ａ）において、面材３１はドーナッツ形の枠状に形成され、突起体１２および第２の突起体１８が土嚢袋積層用固定具３０の面材３１の両面に取りつけられる。ここで、枠の形状は、図６においては矩形状に形成されているが、これに限定する必要はなく、円形や楕円形等の枠でもよい。図６（ｂ）は、土嚢袋積層用固定具３０を上面から見た図であり、ドーナッツ形の枠状の面材３１の面に沿って突起体１２が並んでいるところを強調したものである。図６（ｃ）は、土嚢袋積層用固定具３０を側面から見た図であり、面材３１の両面から突起体１２および第２の突起体１８が突出しているところを強調したものである。突起体１２と第２の突起体１８が面材３１の両面に取りつけられる構造は図４（ｃ）と同様であるので、詳細な構造図およびその説明は省略する。図６（ｃ）において、連結孔１６を破線で示してある。突起体１２および第２の突起体１８の大きさや長さ形状などは、土嚢袋６０の大きさ形状等または使用用途や施工状況により変更可能である点は第１実施形態の場合と同じである。
【００２２】
図７は、図６に示す土嚢袋積層用固定具３０が隣接して並べられた土嚢袋６０にまたがって置かれた様子を示す図である。図７において、突起体１２および第２の突起体１８は互いに上下で隣接する土嚢袋６０の中詰材６１に食い込み、土嚢袋６０同士を連結させ一体的に作用させる働きをする。第２実施形態の土嚢袋積層用固定具２０と異なるところは、土嚢袋積層用固定具２０においては、突起体１２は面材２１の両面に取りつけられる点では同様であるが、第２実施形態の土嚢袋積層用固定具２０は、上下の土嚢袋６０を千鳥形に積む必要があるが、第３実施形態の土嚢袋積層用固定具３０においては、隣接して並べられた土嚢袋６０にまたがって土嚢袋積層用固定具３０をおくことができるので、土嚢袋６０を付設する手間が簡単になり、作業性が非常に良くなる。
【００２３】
第４実施形態
図８は、第４実施形態の土嚢袋積層用固定具４０を斜め上から見た図である。図８においては、土嚢袋積層用固定具４０は、複数の土嚢袋積層用固定具２０を連結リブ５０で連結することによって面状に構成される。土嚢袋積層用固定具２０は第２実施形態で説明した土嚢袋積層用固定具であるが、この土嚢袋積層用固定具２０は第１実施形態の土嚢袋積層用固定具１０、第３実施形態の土嚢袋積層用固定具３０で置き換えることもできる。その構造は同様であるので、以下では土嚢袋積層用固定具２０を用いた土嚢袋積層用固定具４０について説明する。
【００２４】
図９は、土嚢袋積層用固定具４０を構成する連結リブ５０の構造を示す図である。図９（ａ）において、連結リブ５０は、その両先端にコの字型把持部５１がありこの２つのコの字型把持部５１の間はリブ５５で繋がれている。このコの字型把持部５１は、中心部に孔５２が開けられ、土嚢袋積層用固定具２０との間をビス５３および固定ナット５４で連結する機能を有する。コの字型把持部５１の平面形状は矩形状に描いてあるが円形でも楕円形でも三角形でも構わない。
【００２５】
連結リブ５０は、図９（ｂ）に示すように、その両先端にコの字型把持部５１を設けることなく、リブ５５の先端に孔５２を開けて、この孔５２を介して面材２１と繋いでもよい。
【００２６】
図９（ｃ）は土嚢袋積層用固定具２０に開けられた連結孔１６にコの字型把持部５１を有する連結リブ５０を取りつける様子を示した図である。図９（ｃ）において、連結リブ５０のコの字型把持部５１部分は土嚢袋積層用固定具２０の面材２１と連結孔１６を介してネジで連結されることを示している。このように４つの土嚢袋積層用固定具２０は４つの連結リブ５０によって連結され一体の土嚢袋積層用固定具として機能する。
【００２７】
図１０は、隣接して並べられた土嚢袋６０の各隅を連結するように図８に示される土嚢袋積層用固定具４０を土嚢袋６０の上に置いた図である。土嚢袋積層用固定具２０は面材２１の両面に突起体１２および第２の突起体１８を有し、積層される土嚢袋間に設置されることによって、土嚢袋積層用固定具２０を土嚢袋に固定しなくとも中詰材の投入された重量のある土嚢袋の重さを利用し、または、土木工事用の重機の圧力を利用し、土嚢袋積層用固定具２０の突起体１２および第２の突起体１８を土嚢袋に食い込ませることにより、土嚢袋を連結させ一体性を向上させる。このように、リブで連結された土嚢袋積層用固定具を隣接して置かれた土嚢袋間に配置することによって、隣接して置かれた複数の土嚢袋が上下方向及び横方向に一体化され強固に連結される。それによって、地震等の振動に対しても積層された土嚢袋がずれることを防止できる。突起体１２の大きさや長さ、形状、材質などは、第1実施形態と同様に使用用途や施工状況により変更できる。このように土嚢袋積層用固定具４０を土嚢袋６０の上に置くだけで土嚢袋６０を強固に連結することができるので、土嚢袋６０を連結する手間が簡単になり、作業性が非常に良くなる。
【００２８】
第５実施形態
第４実施形態においては、４つの土嚢袋積層用固定具２０を４つの連結リブ５０で連結して単体として使用できる土嚢袋積層用固定具４０を一単位として用いて隣接する土嚢袋６０を連結するようにしたが、第５実施形態においては、土地の形状に合わせて隣接して置かれた土嚢袋６０に合わせて土嚢袋積層用固定具２０を連結リブ５０で連結する使用例を示す。
【００２９】
図１１は、土地に形状に合わせて連接して置かれた土嚢袋６０の各４隅に土嚢袋積層用固定具２０を配置しそれらの間を連結リブ５０で連結した状態を示す図である。ある土嚢袋６０と隣接する他の土嚢袋６０との間の連結はいろいろな形態が可能である。
図１１においても、土嚢袋積層用固定具２０は面材２１の両面に突起体１２および第２の突起体１８を有し、積層される土嚢袋間に設置されるので、土嚢袋積層用固定具２０を土嚢袋に固定しなくとも中詰材の投入された重量のある土嚢袋の重さを利用し、または、土木工事用の重機の圧力を利用し、土嚢袋積層用固定具２０の突起体１２および第２の突起体１８を土嚢袋に食い込ませることにより、隣接して置かれた複数の土嚢袋が上下方向及び横方向に一体化され強固に連結される。このように、地形の形状に合わせて隣接して置かれた土嚢袋の上にリブで連結された土嚢袋積層用固定具を配置することによって、隣接して置かれた複数の土嚢袋が上下方向及び横方向に一体化され強固に連結される。それによって、地震等の振動に対しても積層された土嚢袋がずれることを防止できる。図１１の施工は土嚢袋６０を設置する前に連結リブ５０をセットできる現場であれば、どのような地形のところでも行うことができ、地形の形状に合わせて連結リブ５０を種々の形に連結できるので、土嚢袋６０のより強固な一体化が可能となる。また、突起体１２および第２の突起体１８の大きさや長さ、形状、材質などは、第1実施形態と同様に使用用途や施工状況により変更できる。このように土嚢袋積層用固定具４０を土嚢袋６０の上に置き連結リブ５０で各土嚢袋６０を連結するだけで土嚢袋６０を強固に連結し一体化することができるので、土嚢袋６０を連結する手間が簡単になり、作業性が非常に良くなる。土嚢袋６０の連結は土嚢袋６０を設置する前に行っても良い。
【産業上の利用可能性】
【００３０】
本発明は、地盤改良、地盤補強、治水工事、擁壁工事、護岸工事、埋め立て工事などの土木建設工事おいて、土嚢袋を積層する際に利用される土嚢袋積層用固定具として使用することができる。
【図面の簡単な説明】
【００３１】
【図１】本発明の第１実施形態の土嚢袋積層用固定具を示す図である。
【図２】本発明の第１実施形態の土嚢袋積層用固定具を土嚢袋の下面に取付けた状態を示す図である。
【図３】本発明の第１実施形態の土嚢袋積層用固定具を取りつけた土嚢袋を多層に積み重ねた様子を示す図である。
【図４】本発明の第２実施形態の土嚢袋積層用固定具を示す図である。
【図５】本発明の第２実施形態の土嚢袋積層用固定具を取りつけた土嚢袋を多層に積み重ねた様子を示す図である。
【図６】本発明の第３実施形態の土嚢袋積層用固定具を示す図である。
【図７】本発明の第３実施形態の土嚢袋積層用固定具を隣接して並べられた土嚢袋の上に置いた様子を示す図である。
【図８】本発明の第４実施形態の土嚢袋積層用固定具を示す斜視図である。
【図９】本発明の第４実施形態の土嚢袋積層用固定具を構成する連結リブの構造を示す図である。
【図１０】本発明の第４実施形態の土嚢袋積層用固定具を隣接して並べられた土嚢袋の上に置いた様子を示す図である。
【図１１】本発明の第２実施形態の土嚢袋積層用固定具を隣接して並べられた土嚢袋上の四隅に置き、連結リブで土嚢袋積層用固定具間を連結した様子を示す図である。
【図１２】滑り止めを施した従来の土嚢袋を示す図である。
【符号の説明】
【００３２】
１０  第1実施形態の土嚢袋積層用固定具
１１  面材
１２  突起体
１３  取付ボルト
１４  固定ナット
１５  孔
１６  連結孔
１７  土嚢袋の下面生地
１８  第２の突起体
１９  雌ねじ部分
２０  第２実施形態の土嚢袋積層用固定具
２１  面材
３０  第３実施形態の土嚢袋積層用固定具
３１  面材
４０  第４実施形態の土嚢袋積層用固定具
５０  連結リブ
５１  コの字型把持部
５２  孔
５３  ボルト
５４  固定ナット
５５  リブ
６０  土嚢袋
６１  中詰材
【図１】
0004825736.tif 000002
【図２】
0004825736.tif 000003
【図３】
0004825736.tif 000004
【図４】
0004825736.tif 000005
【図５】
0004825736.tif 000006
【図６】
0004825736.tif 000007
【図７】
0004825736.tif 000008
【図８】
0004825736.tif 000009
【図９】
0004825736.tif 000010
【図１０】
0004825736.tif 000011
【図１１】
0004825736.tif 000012
【図１２】
0004825736.tif 000013